(57)【要約】      （修正有）【課題】スポンジヘッドを把持することなくスポンジヘッドをチューブ本体から外して洗浄することが可能な化粧品用簡単付け替えヘッドチューブ容器を提供する。【解決手段】化粧品用チューブ容器は、内部空間５１、７３が区画された収容部５を有し、収容部５の軸方向１０１の端部（一端部７）に内部空間７３と連通する貫通孔７５が形成された容器本体２と、一端部７に着脱可能な着脱部材３と、着脱部材３に接着されたヘッド４と、を備える。一端部７は、軸方向１０１に突出しており、貫通孔７５が形成された突出部７４を備える。着脱部材３は、軸方向１０１に沿っており且つ一端部７に装着された状態において突出部７４が貫通する貫通孔を有する。ヘッド４は、軸方向１０１に沿っており且つ着脱部材３に接着された状態において、突出部７４が挿入され且つ貫通孔７５を介して内部空間７３と連通する貫通孔４４を有する。【選択図】図４
2019141348.tif 000002
【特許請求の範囲】
【請求項１】
内部に収容室が区画された収容部を有し、当該収容部の長手方向の一端部に当該収容室と連通する第１貫通孔が形成された容器本体と、
上記一端部に着脱可能な着脱部材と、
上記着脱部材における上記一端部と接触する側とは反対側に着脱可能なヘッドと、を備え、
上記一端部は、上記長手方向に突出しており、上記第１貫通孔が形成された突出部を備え、
上記着脱部材は、上記長手方向に沿っており且つ上記一端部に装着された状態において上記突出部が貫通する第２貫通孔を有し、
上記ヘッドは、上記長手方向に沿っており且つ上記着脱部材に装着された状態において、上記突出部が挿入され且つ上記第１貫通孔を介して上記収容室と連通する第３貫通孔を有する化粧品用簡単付け替えヘッドチューブ容器。
【請求項２】
上記着脱部材は、上記一端部と接触する側とは反対側に凹部を有し、
上記ヘッドは、上記凹部に嵌合されることによって上記着脱部材に装着される請求項１に記載の化粧品用簡単付け替えヘッドチューブ容器。
【請求項３】
上記ヘッドは、上記着脱部材に接着されている請求項１または２に記載の化粧品用簡単付け替えヘッドチューブ容器。
【請求項４】
上記着脱部材は、上記一端部に装着された状態で上記一端部に支持される被支持面を備え、
上記被支持面には、凹凸が形成されている請求項１から３のいずれかに記載の化粧品用簡単付け替えヘッドチューブ容器。
【請求項５】
上記着脱部材は、上記ヘッドが装着された状態で上記ヘッドを支持する支持面を備え、
上記支持面には、凹凸が形成されている請求項１から４のいずれかに記載の化粧品用簡単付け替えヘッドチューブ容器。
【請求項６】
上記着脱部材は、上記一端部に螺合されている請求項１から５のいずれかに記載の化粧品用簡単付け替えヘッドチューブ容器。
【請求項７】
上記着脱部材及び上記ヘッドを覆うように上記容器本体に対して着脱可能なカバーを更に備える請求項１から６のいずれかに記載の化粧品用簡単付け替えヘッドチューブ容器。
【請求項８】
上記カバーは、上記容器本体に装着された状態において、上記第１貫通孔及び上記第３貫通孔に挿入される凸部を備える請求項７に記載の化粧品用簡単付け替えヘッドチューブ容器。
【請求項９】
上記凸部は、テーパ形状である請求項８に記載の化粧品用簡単付け替えヘッドチューブ容器。
【請求項１０】
上記容器本体は、ネジが形成された外周面を有しており、
上記カバーは、上記ネジに螺合することによって上記容器本体に装着されており、
上記容器本体の外周面は、上記一端部に装着された上記着脱部材の外周面と上記長手方向に隣接しており、且つ上記着脱部材の外周面と面一である請求項７から９のいずれかに記載の化粧品用簡単付け替えヘッドチューブ容器。
【請求項１１】
上記ヘッドは、複数の繊維で構成されたブラシ形状である請求項１から１０のいずれかに記載の化粧品用簡単付け替えヘッドチューブ容器。
【発明の詳細な説明】
【技術分野】
【０００１】
本発明は、液状またはゲル状の化粧品が収容される化粧品用簡単付け替えヘッドチューブ容器に関する。
【背景技術】
【０００２】
液状またはゲル糊状の化粧品は、一般に軟質のチューブ容器に収容される。化粧品が収容されるチューブ容器は、特許文献１の図６に開示されているように、スポンジヘッドを備えたキャップがチューブ本体に一体に取り付けられた構造を有するものがある。すなわち、チューブ本体にキャップが一体的に設けられている。チューブ容器が両側から挟み込まれることによって、チューブ容器内の化粧品がキャップから絞り出されてスポンジヘッドから染み出す。スポンジヘッドがユーザの肌に触れることによって、化粧品がユーザの肌に付着する。
【０００３】
前述のように、スポンジヘッドは、ユーザの肌に直接触れるものであるため、スポンジヘッドを洗浄したいという要請がある。しかしながら、特許文献１に開示されたチューブ容器では、スポンジヘッドはチューブ本体に一体に取り付けられている。したがって、スポンジヘッドを洗浄しようとすれば、洗浄液がスポンジヘッドを介してチューブ本体に浸入してしまうおそれがあり、事実上、洗浄は困難であった。
【０００４】
これに対して、本願の出願人は、チューブ本体にスポンジヘッドを取り付け、リング状の保持部材でスポンジヘッドを押さえるチューブ容器を案出した（特許文献２参照）。このチューブ容器では、保持部材を外すことによって、スポンジヘッドをチューブ本体に対して着脱することができる。
【先行技術文献】
【特許文献】
【０００５】
【特許文献１】特開２００８−８００８６号公報
【特許文献２】特開２０１７−４０１号公報
【発明の概要】
【発明が解決しようとする課題】
【０００６】
しかしながら、特許文献２に開示されたチューブ容器では、ユーザがスポンジヘッドを把持することによって、スポンジヘッドがチューブ本体に対して着脱されるため、スポンジヘッドの清潔性が低下するおそれがあった。
【０００７】
この発明は、かかる背景のもとになされたものであって、その目的は、スポンジヘッドを把持することなくスポンジヘッドをチューブ本体から外して洗浄することが可能な化粧品用簡単付け替えヘッドチューブ容器を提供することである。
【課題を解決するための手段】
【０００８】
(1) 本発明に係る化粧品用簡単付け替えヘッドチューブ容器は、内部に収容室が区画された収容部を有し、当該収容部の長手方向の一端部に当該収容室と連通する第１貫通孔が形成された容器本体と、上記一端部に着脱可能な着脱部材と、上記着脱部材における上記一端部と接触する側とは反対側に着脱可能なヘッドと、を備える。上記一端部は、上記長手方向に突出しており、上記第１貫通孔が形成された突出部を備える。上記着脱部材は、上記長手方向に沿っており且つ上記一端部に装着された状態において上記突出部が貫通する第２貫通孔を有する。上記ヘッドは、上記長手方向に沿っており且つ上記着脱部材に装着された状態において、上記突出部が挿入され且つ上記第１貫通孔を介して上記収容室と連通する第３貫通孔を有する。
【０００９】
本構成によれば、ヘッドが装着された着脱部材を、着脱部材を把持しつつ容器本体から取り外すことができる。これにより、ユーザの手を汚すことなく、ヘッドを容器本体から取り外すことができる。そして、着脱部材を把持しつつ、ヘッド及び着脱部材を一体に洗浄することができる。つまり、ユーザは、ヘッドに一切触れることなく、ヘッドを洗浄することができる。そのため、ユーザがヘッドに触れる場合に比べて、ヘッドを清潔な状態に保つことができる。
【００１０】
また、経年劣化などによってヘッドを交換する場合、本構成によれば、ヘッドを着脱部材から取り外すことができるため、着脱部材を交換することなくヘッドのみを交換することができる。
【００１１】
(2) 上記着脱部材は、上記一端部と接触する側とは反対側に凹部を有する。上記ヘッドは、上記凹部に嵌合されることによって上記着脱部材に装着される。
【００１２】
本構成によれば、ヘッドは、凹部に嵌合させるだけで着脱部材に嵌合可能である。そのため、ヘッドの形状は単純な形状でよく、ヘッドに凸部や凹部などのような特殊な形状を付加する必要がない。
【００１３】
(3) 上記ヘッドは、上記着脱部材に接着されている。
【００１４】
本構成によれば、ヘッドが着脱部材から意図せず外れてしまう可能性を低くすることができる。
【００１５】
(4) 上記着脱部材は、上記一端部に装着された状態で上記一端部に支持される被支持面を備える。上記被支持面には、凹凸が形成されている。
【００１６】
本構成によれば、被支持面と一端部との間に凹凸による摩擦力が発生するため、着脱部材を一端部から外れにくくすることができる。
【００１７】
(5) 上記着脱部材は、上記ヘッドが装着された状態で上記ヘッドを支持する支持面を備える。上記支持面には、凹凸が形成されている。
【００１８】
本構成によれば、支持面とヘッドとの間に凹凸による摩擦力が発生するため、ヘッドを着脱部材から外れにくくすることができる。
【００１９】
(6) 上記着脱部材は、上記一端部に螺合されている。
【００２０】
本構成によれば、着脱部材が一端部から意図せず外れてしまう可能性を低くすることができる。
【００２１】
(7) 本発明に係る化粧品用簡単付け替えヘッドチューブ容器は、上記着脱部材及び上記ヘッドを覆うように上記容器本体に対して着脱可能なカバーを更に備える。
【００２２】
本構成によれば、カバーを容器本体に装着することにより、化粧品が付着したヘッドの外部との接触を防止することができる。
【００２３】
(8) 上記カバーは、上記容器本体に装着された状態において、上記第１貫通孔及び上記第３貫通孔に挿入される凸部を備える。
【００２４】
本構成によれば、カバーを容器本体に装着するに際して、凸部を第１貫通孔に挿入させることにより、カバーが容器本体に対してずれることなくカバーを容器本体に円滑に装着することができる。また、収容室に収容された化粧品が第３貫通孔を介して漏れ出ることを低減することができる。
【００２５】
(9) 上記凸部は、テーパ形状である。
【００２６】
本構成によれば、凸部の第３貫通孔への挿入が容易である。
【００２７】
(10) 上記容器本体は、ネジが形成された外周面を有している。上記カバーは、上記ネジに螺合することによって上記容器本体に装着されている。上記容器本体の外周面は、上記一端部に装着された上記着脱部材の外周面と上記長手方向に隣接しており、且つ上記着脱部材の外周面と面一である。
【００２８】
本構成によれば、容器本体の外周面と着脱部材の外周面とが面一である。そのため、ヘッドが着脱部材に対して着脱可能であり且つ着脱部材が容器本体に対して着脱可能でありながら、化粧品用簡単付け替えヘッドチューブ容器の外観を見栄えよくすることができる。
【発明の効果】
【００２９】
この発明に係る化粧品用簡単付け替えヘッドチューブ容器によれば、ヘッドを把持することなくヘッドを容器本体から外して洗浄することが可能である。
【００３０】
(11) 上記ヘッドは、複数の繊維で構成されたブラシ形状である。
【００３１】
本構成によれば、化粧品がヘッドに付着しやすい。
【図面の簡単な説明】
【００３２】
【図１】図１は、化粧品用チューブ容器１の外観斜視図である。
【図２】図２は、化粧品用チューブ容器１の外観斜視図である。
【図３】図３は、化粧品用チューブ容器１の縦断面図である。
【図４】図４は、化粧品用チューブ容器１の縦断面図である。
【図５】図５は、ヘッド４がブラシ形状である化粧品用チューブ容器１の外観斜視図である。
【図６】図６は、ヘッド４がブラシ形状である化粧品用チューブ容器１の縦断面図である。
【発明を実施するための形態】
【００３３】
以下、本発明の好ましい実施形態が、適宜図面が参照されながら説明される。なお、本実施の形態は、本発明に係る化粧品用簡単付け替えヘッドチューブ容器の一態様にすぎず、本発明の要旨を変更しない範囲で実施態様が変更されてもよいことは言うまでもない。
【００３４】
［化粧品用チューブ容器の概要］
【００３５】
図１及び図２が示すように、化粧品用チューブ容器１（化粧品用簡単付け替えヘッドチューブ容器の一例）は、容器本体２、着脱部材３、ヘッド４、及びカバー６を備えている。
【００３６】
容器本体２には、液状またはゲル状の化粧品が収容可能である。容器本体２は、収容部５を備えている。着脱部材３は、収容部５の一端部７に対して着脱自在である。ヘッド４は、着脱部材３に接着されている。なお、図１〜図３では、ヘッド４が着脱部材３から外れた状態が示されている。カバー６は、一端部７に対して着脱自在である。カバー６は、一端部７に装着された状態において、着脱部材３及びヘッド４を覆っている。
【００３７】
図１〜図３には、着脱部材３が一端部７から脱抜され、ヘッド４が着脱部材３から取り外され、カバー６が一端部７から脱抜された化粧品用チューブ容器１が示されている。図４には、着脱部材３が一端部７に装着され、ヘッド４が着脱部材３に接着され、カバー６が一端部７に装着された化粧品用チューブ容器１が示されている。
【００３８】
［容器本体］
【００３９】
図１及び図３が示すように、容器本体２は、収容部５を備えている。収容部５は、軸方向１０１、１０２（長手方向の一例、図３参照）に延びた筒形状である。軸方向１０１、１０２は、互いに反対向きである。なお、収容部５は、図１が示す形状に限らず、例えば中空の四角柱形状であってもよい。
【００４０】
収容部５は、一端部７と、他端部５２と、胴部５３とで構成されている。一端部７は、収容部５の軸方向１０１の端部である。他端部５２は、収容部５の軸方向１０２の端部である。胴部５３は、一端部７及び他端部５２の間の部分である。胴部５３及び他端部５２は、可撓性を有する。一端部７は、収容部５よりも厚く構成されており、可撓性を有さない。
【００４１】
なお、本実施形態において、胴部５３と他端部５２とは、一体成形されている。一方、一端部７は、胴部５３及び他端部５２とは別部材である。しかし、収容部５は、前述のような構成に限らない。例えば、一端部７も、胴部５３及び他端部５２と一体成形されていてもよい。
【００４２】
図３が示すように、胴部５３及び他端部５２の内部空間５１は、内周面５Ａによって区画されている。他端部５２は、内部空間５１に化粧品が収容される前には開放されているが、内部空間５１に化粧品が充填された後に、その内周面５Ａ同士が熱溶着される。これにより、他端部５２は、封止される。なお、他端部５２は、熱溶着以外の手段、例えば接着や嵌合などによって封止されてもよいし、他部材によって蓋をされることによって封止されてもよい。
【００４３】
一端部７は、胴部５３の軸方向１０１の端部に嵌合されている。これにより、一端部７は、胴部５３の軸方向１０１の端部と連続して設けられている。
【００４４】
一端部７は、概ね中空の円柱形状である。一端部７は、胴部５３の軸方向１０１の端と連続した円筒形状の筒状部７１と、筒状部７１の軸方向１０１の端に設けられた平板部７２とを備えている。
【００４５】
一端部７の内部空間７３は、筒状部７１の内周面７１Ａと、平板部７２の内面７２Ａとによって区画されている。筒状部７１の軸方向１０２の端部は開放されている。これにより、内部空間７３は、内部空間５１と連通している。内部空間５１、７３は、収容室の一例である。
【００４６】
平板部７２の外面７２Ｂの径方向の中心部に、軸方向１０１に突出した突出部７４が形成されている。ここで、外面７２Ｂは、軸方向１０１、１０２に沿う法線により規定される面である。つまり、外面７２Ｂは、軸方向１０１、１０２と直交する面である。また、突出部７４には、突出部７４を軸方向１０１に貫通する貫通孔７５（第１貫通孔の一例）が形成されている。貫通孔７５の軸方向１０１の端は、開口されている。貫通孔７５の軸方向１０２の端は、内部空間７３と連通している。つまり、貫通孔７５は、内部空間７３と一端部７の外部とを連通している。また、貫通孔７５は、内部空間７３を介して内部空間５１と繋がっている。
【００４７】
筒状部７１の外周面７１Ｂに、第１ネジ７６（ネジの一例）と第２ネジ７７とが形成されている。第１ネジ７６及び第２ネジ７７は、軸方向１０１に並んでいる。第１ネジ７６は、第２ネジ７７よりも胴部５３に近い位置に形成されている。
【００４８】
筒状部７１において、第１ネジ７６が形成されている部分の直径は、第２ネジ７７が形成されている部分の直径よりも大きい。
【００４９】
［着脱部材］
【００５０】
図１及び図２が示すように、着脱部材３は、全体として概ね円柱の外形を呈する。
【００５１】
図３が示すように、着脱部材３は、円板形状の本体３０と、本体３０の第１面３０Ａ（支持面の一例）の外周縁から軸方向１０１へ延びた第１リブ３１と、本体３０の第２面３０Ｂ（被支持面の一例）の外周縁から軸方向１０２へ延びた第２リブ３２とを備えている。第１面３０Ａは、軸方向１０１を向く面である。第２面３０Ｂは、軸方向１０２を向く面である。
【００５２】
着脱部材３に、凹部３３及び凹部３４が形成されている。凹部３３は、本体３０の第１面３０Ａと、第１リブ３１の内周面３１Ａとによって区画されている。凹部３４は、本体３０の第２面３０Ａと、第２リブ３２の内周面３２Ａとによって区画されている。
【００５３】
本体３０に、貫通孔３５（第２貫通孔の一例）が形成されている。貫通孔３５は、第１面３０Ａの中央部から第２面３０Ｂの中央部に亘って、本体３０を軸方向１０２に貫通している。貫通孔３５の内径は、容器本体２の突出部７４の外径と略同一である。図４が示すように、着脱部材３が容器本体２に装着された状態において、突出部７４が、貫通孔３５を貫通して、第１面３０Ａから軸方向１０１へ突出している。
【００５４】
なお、貫通孔３５の内径は、突出部７４の外径よりも大きくてもよい。
【００５５】
図３が示すように、第１リブ３１の外周面３１Ｂは、軸方向１０１へ向かうにしたがって着脱部材３の軸へ向かうように傾斜している。第１リブ３１の内周面３１Ａは、軸方向１０１に沿って延びている。以上より、第１リブ３１は、軸方向１０１へ向かって先細りのテーパ形状である。
【００５６】
第２リブ３２の内周面３２Ａに、ネジ３６が形成されている。容器本体２の一端部７が、凹部３４に嵌め込まれる。このとき、ネジ３６と第２ネジ７７とが螺合する。これにより、着脱部材３が一端部７に装着される（図４参照）。
【００５７】
図４が示すように、着脱部材３が容器本体２の一端部７に装着された状態において、第２面３０Ｂは、一端部７の平板部７２の外面７２Ｂと当接している。つまり、第２面３０Ｂは、一端部７に支持されている。
【００５８】
また、着脱部材３が容器本体２の一端部７に装着された状態において、第２リブ３２の外周面３２Ｂは、容器本体２の一端部７の筒状部７１の外周面７１Ｂと、軸方向１０１に隣接している。また、外周面３２Ｂは、外周面７１Ｂと面一である。
【００５９】
図１が示すように、第１面３０Ａに、複数のリブ３７が形成されている。複数のリブ３７は、第１面３０Ａから軸方向１０１に突出している。複数のリブ３７は、一定間隔を空けて形成されている。複数のリブ３７は、第１面３０Ａに沿って真っ直ぐ延びている。各リブ３７は、同方向に延びている。
【００６０】
図２が示すように、第２面３０Ｂに、複数の溝３８が形成されている。複数の溝３８は、第２面３０Ｂから軸方向１０１に凹んでいる。複数の溝３８は、一定間隔を空けて形成されている。複数の溝３８は、第２面３０Ｂに沿って真っ直ぐ延びている。各溝３８は、同方向に延びている。
【００６１】
なお、図３及び図４において、リブ３７及び溝３８の図示は省略されている。
【００６２】
以上のように、図１及び図２が示すように、第１面３０Ａと第２面３０Ｂとに凹凸が形成されている。なお、第１面３０Ａに形成された凹凸はリブ３７に限らず、第２面３０Ｂに形成された凹凸は溝３８に限らない。例えば、第１面３０Ａに溝３８が形成され、第２面３０Ｂにリブ３７が形成されていてもよい。また、例えば、リブ３７や溝３８の代わりに、微細な凸部や凹部が、第１面３０Ａ及び第２面３０Ｂに整列されて又はランダムに形成されていてもよい。
【００６３】
［ヘッド］
【００６４】
図１〜図４が示すヘッド４は、多孔質構造を有する樹脂である。また、ヘッド４は、柔らかい。例えば、ヘッド４は、ＮＢＲ（Ｎｉｔｒｉｌｅ  ｂｕｔａｄｉｅｎｅ  ｒｕｂｂｅｒ）系のスポンジや、ＳＢＲ（Ｓｔｙｒｅｎｅ−ｂｕｔａｄｉｅｎｅ  ｒｕｂｂｅｒ）系のスポンジである。
【００６５】
図１及び図３が示すように、ヘッド４は、概ね円柱形状である。ヘッド４は、軸周りに形成された周面４１と、上面４２及び下面４３とを有する。ヘッド４の軸は、軸方向１０１、１０２に沿っている。
【００６６】
ヘッド４の周面４１は、第１周面４１Ａ及び第２周面４１Ｂで構成されている。第１周面４１Ａは、軸方向１０１に沿って延びている。第２周面４１Ｂは、第１周面４１Ａの軸方向１０１の端と連続している。第２周面４１Ｂは、軸方向１０１へ向かうにしたがってヘッド４の軸へ向かうように湾曲している。つまり、ヘッド４は、軸方向１０１へ向かうにしたがって直径が短くなる先細り形状である。
【００６７】
上面４２は、第２周面４１Ｂの軸方向１０１の端と連続している。下面４３は、第１周面４１Ａの軸方向１０２の端と連続している。なお、ヘッド４の外面（周面４１、上面４２、下面４３）には、多孔質構造であることに伴って多数の孔が形成されているが、凹凸はない。
【００６８】
ヘッド４は、着脱部材３の凹部３３に嵌め込まれることによって、着脱部材３に装着される。ここで、ヘッド４の下面４３は、着脱部材３の本体３０の第１面３０Ａと略同じ形且つ略同じ大きさである。また、ヘッド４は、凹部３３よりも軸方向１０１に長い。よって、ヘッド４が凹部３３に嵌め込まれた状態において、ヘッド４の上部（上面４２、第２周面４１Ｂ、及び第１周面４１Ａの一部）は、着脱部材３から軸方向１０１へ突出する。また、当該状態において、下面４３または着脱部材３の本体３０の第１面３０Ａの少なくとも一方に、接着剤が付けられる。これにより、ヘッド４は着脱部材３に接着される。このとき、第１面３０Ａは、ヘッド４を支持している。なお、接着剤は、下面４３及び第１面３０Ａの代わりに、または下面４３及び第１面３０Ａに加えて、第１周面４１Ａまたは着脱部材３の第１リブ３１の内周面３１Ａの少なくとも一方に付けられてもよい。
【００６９】
ヘッド４に、貫通孔４４（第３貫通孔の一例）が形成されている。貫通孔４４は、上面４２の中央部から下面４３の中央部に亘って軸方向１０２に延びてヘッド４を貫通している。貫通孔４４の内径は、容器本体２の一端部７の突出部７４の外径と略同一である。図４が示すように、ヘッド４が着脱部材３に接着された状態において、貫通孔４４は、着脱部材３の貫通孔３５（図３参照）と連続している。これにより、ヘッド４が接着された着脱部材３が容器本体２に装着された状態において、貫通孔３５を貫通して第１面３０Ａから突出した容器本体２の突出部７４は、貫通孔４４に挿入される。これにより、貫通孔４４は、突出部７４に形成された貫通孔７５を通じて、内部空間７３と連通される。
【００７０】
なお、貫通孔４４の内径は、突出部７４の外径よりも大きくてもよい。また、本実施形態のように、ヘッド４が柔らかい素材で構成されている場合、貫通孔４４の内径は、突出部７４の外径よりも若干小さくてもよい。
【００７１】
［カバー］
【００７２】
図２及び図３が示すように、カバー６は、円板部６１と、筒状部６２と、凸部６３とを備えている。
【００７３】
筒状部６２は、円板部６１の軸方向１０２を向いた面６１Ａの周縁部から軸方向１０２に延びている。筒状部６２の内周面６２Ａの軸方向１０２の端部に、ネジ６４が形成されている。ネジ６４と容器本体２の一端部７の第１ネジ７６とが螺合することによって、カバー６が一端部７に装着される（図４参照）。
【００７４】
図３が示すように、凸部６３は、面６１Ａの中心部から軸方向１０２に延びており、概ね円柱形状である。凸部６３の軸方向１０２の長さは、筒状部６２の軸方向１０２の長さよりも短い。凸部６３は、軸方向１０２へ向かう程に直径が小さくなる先細りのテーパ形状である。凸部６３の直径は、ヘッド４の貫通孔４４の内径よりも短い。これにより、図４が示すように、カバー６が一端部７に装着された状態において、凸部６３は、貫通孔４４に挿入されている。また、凸部６３の先端部の直径は、容器本体２の貫通孔７５の直径と略同一である。これにより、カバー６が一端部７に装着された状態において、凸部６３の先端部は、貫通孔７５に挿入されている。なお、凸部６３の先端部以外の直径は、貫通孔７５の直径より長く、貫通孔４４の直径より短い。
【００７５】
凸部６３は、内部空間６３Ａを有している。凸部６３の先端に、開口６３Ｂが形成されている。開口６３Ｂを通じて、内部空間６３Ａと凸部６３の外部とが連通している。
【００７６】
［着脱部材及びカバーの装着及び脱抜］
【００７７】
図４が示すように、化粧品用チューブ容器１の非使用時において、ヘッド４が接着された着脱部材３は、ネジ３６と第２ネジ７７とが螺合することによって、一端部７に装着されている。
【００７８】
また、カバー６は、ネジ６４と第１ネジ７６とが螺合することによって、一端部７に装着されている。これにより、着脱部材３及びヘッド４は、カバー６によって覆われた状態となる。このとき、カバー６の凸部６３は、ヘッド４の貫通孔４４に挿入されており、凸部６３の先端部は、一端部７の突出部７４の貫通孔７５に挿入されている。
【００７９】
図３が示すように、化粧品用チューブ容器１の使用に際して、カバー６は、ネジ６４と第１ネジ７６との螺合が解除されることによって、一端部７から脱抜される。その後、収容部５の外周面５Ｂが使用者に押圧されることによって、内部空間５１に収容された化粧品が、内部空間５１から内部空間７３、貫通孔７５、及び貫通孔４４を介して、ヘッド４に浸透される。そして、化粧品は、ヘッド４から染み出される。
【００８０】
ヘッド４の洗浄に際して、着脱部材３が、ネジ３６と第２ネジ７７との螺合が解除される。これにより、着脱部材３（及び着脱部材３に接着されたヘッド４）が、一端部７から脱抜される。一端部７から脱抜された着脱部材３及びヘッド４の一体物は、単独で洗浄可能である。
【００８１】
なお、接着されたヘッド４を着脱部材３から剥がすことによって、ヘッド４を単独で洗浄可能である。また、ヘッド４が?がされた状態の着脱部材３に、新たなヘッド４を接着することによって、ヘッド４の交換が可能である。
【００８２】
［実施形態の効果］
【００８３】
この実施形態によれば、ヘッド４が装着された着脱部材３を、着脱部材３を把持しつつ容器本体２から取り外すことができる。これにより、ユーザの手を汚すことなく、ヘッド４を容器本体２から取り外すことができる。そして、着脱部材３を把持しつつ、ヘッド４及び着脱部材３を一体に洗浄することができる。つまり、ユーザは、ヘッド４に一切触れることなく、ヘッド４を洗浄することができる。そのため、ユーザがヘッド４に触れる場合に比べて、ヘッド４を清潔な状態に保つことができる。
【００８４】
また、経年劣化などによってヘッド４を交換する場合、この実施形態によれば、ヘッド４を着脱部材３から取り外すことができるため、着脱部材３を交換することなくヘッド４のみを交換することができる。
【００８５】
また、この実施形態によれば、ヘッド４は、凹部３３に嵌合させるだけで着脱部材３に嵌合可能である。そのため、ヘッド４の形状は円筒形状などの単純な形状でよく、ヘッド４に凸部や凹部などのような特殊な形状を付加する必要がない。
【００８６】
また、この実施形態によれば、ヘッド４が着脱部材３から意図せず外れてしまう可能性を低くすることができる。
【００８７】
また、この実施形態によれば、着脱部材３の本体３０の第２面３０Ｂと一端部７との間に凹凸による摩擦力が発生するため、着脱部材３を一端部７から外れにくくすることができる。
【００８８】
また、この実施形態によれば、着脱部材３の本体３０の第１面３０Ａとヘッド４との間に凹凸による摩擦力が発生するため、ヘッド４を着脱部材３から外れにくくすることができる。
【００８９】
また、この実施形態によれば、着脱部材３が一端部７に螺合されているため、着脱部材３が一端部７から意図せず外れてしまう可能性を低くすることができる。
【００９０】
また、この実施形態によれば、カバー６を容器本体２に装着することにより、化粧品が付着したヘッド４の外部との接触を防止することができる。
【００９１】
また、この実施形態によれば、カバー６を容器本体２に装着するに際して、図４が示すように、凸部６３を貫通孔７５に挿入させることにより、カバー６が容器本体２に対してずれることなくカバー６を容器本体２に円滑に装着することができる。また、内部空間５１、７３に収容された化粧品が貫通孔４４を介して漏れ出ることを低減することができる。
【００９２】
また、この実施形態によれば、図３が示すように、凸部６３がテーパ形状である。そのため、図４が示すように、凸部６３の貫通孔４４への挿入が容易である。
【００９３】
また、この実施形態によれば、図４が示すように、容器本体２の外周面７１Ｂと着脱部材３の外周面３２Ｂとが面一である。そのため、ヘッド４が着脱部材３に対して着脱可能であり且つ着脱部材３が容器本体２に対して着脱可能でありながら、化粧品用チューブ容器１の外観を見栄えよくすることができる。
【００９４】
［変形例］
【００９５】
上記の実施形態では、ヘッド４は、接着によって着脱部材３に装着されていた。しかし、ヘッド４は、接着以外の手段によって着脱部材３に装着されてもよい。
【００９６】
例えば、ヘッド４は、凹部３３（図３参照）に嵌め込まれることによって、着脱部材３に装着されてもよい。この場合、ヘッド４が着脱部材３から意図せずに外れてしまうことが懸念される。そこで、この場合、ヘッド４の直径が凹部３３の内径よりも若干大きく構成されればよい。これにより、ヘッド４が着脱部材３から取れにくくすることができる。
【００９７】
また、例えば、ヘッド４が第１周面４１Ａ（図３参照）に凸部を備え、凹部３３が内周面３１Ａ（図３参照）に当該凸部に対応する凹部を備えていてもよい。この場合、当該凸部と当該凹部とが嵌合することによって、ヘッド４が着脱部材３に装着される。
【００９８】
上記の実施形態では、第１面３０Ａと第２面３０Ｂとに凹凸が形成されていたが、凹凸が形成されていなくてもよい。また、第１面３０Ａ及び第２面３０Ｂ以外の面であって、他の部材と接触する面、例えばヘッド４と接触する内周面３１Ａ（図３参照）に凹凸が形成されていてもよい。
【００９９】
上記の実施形態では、着脱部材３及びカバー６は、それぞれ螺合によって容器本体２に装着されていた（図４参照）。しかし、着脱部材３及びカバー６は、それぞれ螺合以外の手段、例えば嵌め込みによって容器本体２に装着されていてもよい。
【０１００】
上記の実施形態において、ヘッド４の外面（周面４１、上面４２、下面４３）には、多数の孔が形成されている一方で凹凸はなかった。しかし、ヘッド４の外面に、凹凸が形成されていてもよい。つまり、ヘッド４の外面に多数の孔及び凹凸が形成されていてもよい。或いは、ヘッド４の外面に多数の孔が形成されていない一方で凹凸が形成されていてもよい。
【０１０１】
ヘッド４の外面に凹凸が形成されていることによって、ヘッド４をユーザなどの肌に沿って移動させる際に、凹凸によって角質を削り取ることができる。
【０１０２】
また、ヘッド４の外面が平滑面であってもよい。つまり、ヘッド４の外面に、多数の孔及び凹凸の何れも形成されていなくてもよい。
【０１０３】
ヘッド４の外面が平滑面である場合、吐出された化粧品が平滑面に沿って移動し易い。これにより、化粧品がヘッド４の外面の全域に行き渡り易い。その結果、化粧品をヘッド４の外面の広範囲に亘って付着させることができる。
【０１０４】
上記の実施形態において、ヘッド４は、多孔質構造を有し且つ柔らかいものであった。しかし、ヘッド４は、多孔質構造を有していなくてもよいし、固いものであってもよい。
【０１０５】
例えば、多孔質構造を有さず且つ固いヘッド４として、ＰＰ（ポリプロピレン）やＰＥＴ（ポリエチレンテレフタラート）などの樹脂で構成されたものが挙げられる。また、ヘッド４がこれらの樹脂で構成されている場合、ヘッド４の外面を平滑面とすることができる。もちろん、ヘッド４がこれらの樹脂で構成されている場合に、ヘッド４の外面に凹凸が形成されていてもよい。
【０１０６】
また、例えば、多孔質構造を有し且つ固いヘッド４として、軽石が挙げられる。ヘッド４が軽石で構成されている場合、ヘッド４の外面には凹凸が形成されている。
【０１０７】
軽石は、表面に凹凸が形成されており且つ固い。そのため、ヘッド４をユーザなどの肌に沿って移動させる際に、角質を容易に削り取ることができる。
【０１０８】
ヘッド４は、上述したようなスポンジ、樹脂、軽石などに限らず、例えば、図５及び図６に示されるように、複数の繊維（毛）で構成されたブラシ形状であってもよい。複数の繊維は、着脱部材３の本体３０の第１面３０Ａに接着されている。図５において、ヘッド４を構成する繊維のうち隣り合う繊維は互いに接しているが、隣り合う繊維は互いに離れていてもよい。また、各繊維の長さは、概ね同一であるが、異なる長さであってもよい。
【０１０９】
図５及び図６に示される構成において、ヘッド４は、上記の実施形態と同様に、全体として概ね円柱形状であり、軸周りに形成された周面４１と、上面４２及び下面４３とを有する。周面４１は、複数の繊維のうち、円柱の径方向の最外縁に位置する繊維によって構成されている。上面４２は、複数の繊維の先端によって構成されている。下面は、複数の繊維の基端によって構成されている。各繊維の基端が、第１面３０Ａに接着されている。
【０１１０】
図６に示されるように、周面４１は、軸方向１０１へ向かうにしたがって径方向の外方へ向かうように、軸方向１０１に対して傾斜している。なお、周面４１は、前述したような傾斜した面に限らず、例えば軸方向１０１に沿って延びた面であってもよい。
【０１１１】
上面４２は、軸方向１０１へ凸となる湾曲面である。つまり、上面４２における径方向の中心部は、上面４２における径方向の周縁部よりも軸方向１０１に位置する。なお、上面４２の形状は前述したような湾曲面に限らず、例えば軸方向１０１と直交する平面であってもよい。
【符号の説明】
【０１１２】
１・・・化粧品用チューブ容器
２・・・容器本体
３・・・着脱部材
４・・・ヘッド
５・・・収容部
６・・・カバー
７・・・一端部
３０・・・本体
３１・・・第１リブ
３２・・・第２リブ
３３・・・凹部
３４・・・凹部
３５・・・貫通孔
３６・・・ネジ
３７・・・リブ
３８・・・溝
４１・・・周面
４２・・・上面
４３・・・下面
４４・・・貫通孔
５１・・・内部空間
５２・・・他端部
５３・・・胴部
６１・・・円板部
６２・・・筒状部
６３・・・凸部
６４・・・ネジ
７１・・・筒状部
７２・・・平板部
７３・・・内部空間
７４・・・突出部
７５・・・貫通孔
７６・・・第１ネジ
７７・・・第２ネジ
１０１・・・軸方向
１０２・・・軸方向
【図１】
2019141348.tif 000003
【図２】
2019141348.tif 000004
【図３】
2019141348.tif 000005
【図４】
2019141348.tif 000006
【図５】
2019141348.tif 000007
【図６】
2019141348.tif 000008
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
内部に収容室が区画された収容部を有し、当該収容部の長手方向の一端部に当該収容室と連通する第１貫通孔が形成された容器本体と、
上記一端部に着脱可能な着脱部材と、
上記着脱部材における上記一端部と接触する側とは反対側に着脱可能なヘッドと、
上記着脱部材及び上記ヘッドを覆うように上記容器本体に対して着脱可能なカバーと、を備え、
上記一端部は、上記長手方向に突出しており、上記第１貫通孔が形成された突出部を備え、
上記着脱部材は、上記長手方向に沿っており且つ上記一端部に装着された状態において上記突出部が貫通する第２貫通孔を有し、
上記ヘッドは、上記長手方向に沿っており且つ上記着脱部材に装着された状態において、上記突出部が挿入され且つ上記第１貫通孔を介して上記収容室と連通する第３貫通孔を有し、
上記容器本体は、ネジが形成された外周面を有しており、
上記カバーは、上記ネジに螺合することによって上記容器本体に装着されており、
上記容器本体の外周面は、上記一端部に装着された上記着脱部材の外周面と上記長手方向に隣接しており、且つ上記着脱部材の外周面と面一である化粧品用簡単付け替えヘッドチューブ容器。
【請求項２】
上記着脱部材は、上記一端部と接触する側とは反対側に凹部を有し、
上記ヘッドは、上記凹部に嵌合されることによって上記着脱部材に装着される請求項１に記載の化粧品用簡単付け替えヘッドチューブ容器。
【請求項３】
上記ヘッドは、上記着脱部材に接着されている請求項１または２に記載の化粧品用簡単付け替えヘッドチューブ容器。
【請求項４】
上記着脱部材は、上記一端部に装着された状態で上記一端部に支持される被支持面を備え、
上記被支持面には、凹凸が形成されている請求項１から３のいずれかに記載の化粧品用簡単付け替えヘッドチューブ容器。
【請求項５】
上記着脱部材は、上記ヘッドが装着された状態で上記ヘッドを支持する支持面を備え、
上記支持面には、凹凸が形成されている請求項１から４のいずれかに記載の化粧品用簡単付け替えヘッドチューブ容器。
【請求項６】
上記着脱部材は、上記一端部に螺合されている請求項１から５のいずれかに記載の化粧品用簡単付け替えヘッドチューブ容器。
【請求項７】
上記カバーは、上記容器本体に装着された状態において、上記第１貫通孔及び上記第３貫通孔に挿入される凸部を備える請求項１から６のいずれかに記載の化粧品用簡単付け替えヘッドチューブ容器。
【請求項８】
上記凸部は、テーパ形状である請求項７に記載の化粧品用簡単付け替えヘッドチューブ容器。
【請求項９】
上記ヘッドは、複数の繊維で構成されたブラシ形状である請求項１から８のいずれかに記載の化粧品用簡単付け替えヘッドチューブ容器。
【手続補正２】
【補正対象書類名】明細書
【補正対象項目名】全文
【補正方法】変更
【補正の内容】
【発明の詳細な説明】
【技術分野】
【０００１】
本発明は、液状またはゲル状の化粧品が収容される化粧品用簡単付け替えヘッドチューブ容器に関する。
【背景技術】
【０００２】
液状またはゲル糊状の化粧品は、一般に軟質のチューブ容器に収容される。化粧品が収容されるチューブ容器は、特許文献１の図６に開示されているように、スポンジヘッドを備えたキャップがチューブ本体に一体に取り付けられた構造を有するものがある。すなわち、チューブ本体にキャップが一体的に設けられている。チューブ容器が両側から挟み込まれることによって、チューブ容器内の化粧品がキャップから絞り出されてスポンジヘッドから染み出す。スポンジヘッドがユーザの肌に触れることによって、化粧品がユーザの肌に付着する。
【０００３】
前述のように、スポンジヘッドは、ユーザの肌に直接触れるものであるため、スポンジヘッドを洗浄したいという要請がある。しかしながら、特許文献１に開示されたチューブ容器では、スポンジヘッドはチューブ本体に一体に取り付けられている。したがって、スポンジヘッドを洗浄しようとすれば、洗浄液がスポンジヘッドを介してチューブ本体に浸入してしまうおそれがあり、事実上、洗浄は困難であった。
【０００４】
これに対して、本願の出願人は、チューブ本体にスポンジヘッドを取り付け、リング状の保持部材でスポンジヘッドを押さえるチューブ容器を案出した（特許文献２参照）。このチューブ容器では、保持部材を外すことによって、スポンジヘッドをチューブ本体に対して着脱することができる。
【先行技術文献】
【特許文献】
【０００５】
【特許文献１】特開２００８−８００８６号公報
【特許文献２】特開２０１７−４０１号公報
【発明の概要】
【発明が解決しようとする課題】
【０００６】
しかしながら、特許文献２に開示されたチューブ容器では、ユーザがスポンジヘッドを把持することによって、スポンジヘッドがチューブ本体に対して着脱されるため、スポンジヘッドの清潔性が低下するおそれがあった。
【０００７】
この発明は、かかる背景のもとになされたものであって、その目的は、スポンジヘッドを把持することなくスポンジヘッドをチューブ本体から外して洗浄することが可能な化粧品用簡単付け替えヘッドチューブ容器を提供することである。
【課題を解決するための手段】
【０００８】
(1) 本発明に係る化粧品用簡単付け替えヘッドチューブ容器は、内部に収容室が区画された収容部を有し、当該収容部の長手方向の一端部に当該収容室と連通する第１貫通孔が形成された容器本体と、上記一端部に着脱可能な着脱部材と、上記着脱部材における上記一端部と接触する側とは反対側に着脱可能なヘッドと、上記着脱部材及び上記ヘッドを覆うように上記容器本体に対して着脱可能なカバーと、を備える。上記一端部は、上記長手方向に突出しており、上記第１貫通孔が形成された突出部を備える。上記着脱部材は、上記長手方向に沿っており且つ上記一端部に装着された状態において上記突出部が貫通する第２貫通孔を有する。上記ヘッドは、上記長手方向に沿っており且つ上記着脱部材に装着された状態において、上記突出部が挿入され且つ上記第１貫通孔を介して上記収容室と連通する第３貫通孔を有する。上記容器本体は、ネジが形成された外周面を有している。上記カバーは、上記ネジに螺合することによって上記容器本体に装着されている。上記容器本体の外周面は、上記一端部に装着された上記着脱部材の外周面と上記長手方向に隣接しており、且つ上記着脱部材の外周面と面一である。
【０００９】
本構成によれば、ヘッドが装着された着脱部材を、着脱部材を把持しつつ容器本体から取り外すことができる。これにより、ユーザの手を汚すことなく、ヘッドを容器本体から取り外すことができる。そして、着脱部材を把持しつつ、ヘッド及び着脱部材を一体に洗浄することができる。つまり、ユーザは、ヘッドに一切触れることなく、ヘッドを洗浄することができる。そのため、ユーザがヘッドに触れる場合に比べて、ヘッドを清潔な状態に保つことができる。
【００１０】
また、経年劣化などによってヘッドを交換する場合、本構成によれば、ヘッドを着脱部材から取り外すことができるため、着脱部材を交換することなくヘッドのみを交換することができる。
【００１１】
また、本構成によれば、カバーを容器本体に装着することにより、化粧品が付着したヘッドの外部との接触を防止することができる。
【００１２】
また、本構成によれば、容器本体の外周面と着脱部材の外周面とが面一である。そのため、ヘッドが着脱部材に対して着脱可能であり且つ着脱部材が容器本体に対して着脱可能でありながら、化粧品用簡単付け替えヘッドチューブ容器の外観を見栄えよくすることができる。
【００１３】
(2) 上記着脱部材は、上記一端部と接触する側とは反対側に凹部を有する。上記ヘッドは、上記凹部に嵌合されることによって上記着脱部材に装着される。
【００１４】
本構成によれば、ヘッドは、凹部に嵌合させるだけで着脱部材に嵌合可能である。そのため、ヘッドの形状は単純な形状でよく、ヘッドに凸部や凹部などのような特殊な形状を付加する必要がない。
【００１５】
(3) 上記ヘッドは、上記着脱部材に接着されている。
【００１６】
本構成によれば、ヘッドが着脱部材から意図せず外れてしまう可能性を低くすることができる。
【００１７】
(4) 上記着脱部材は、上記一端部に装着された状態で上記一端部に支持される被支持面を備える。上記被支持面には、凹凸が形成されている。
【００１８】
本構成によれば、被支持面と一端部との間に凹凸による摩擦力が発生するため、着脱部材を一端部から外れにくくすることができる。
【００１９】
(5) 上記着脱部材は、上記ヘッドが装着された状態で上記ヘッドを支持する支持面を備える。上記支持面には、凹凸が形成されている。
【００２０】
本構成によれば、支持面とヘッドとの間に凹凸による摩擦力が発生するため、ヘッドを着脱部材から外れにくくすることができる。
【００２１】
(6) 上記着脱部材は、上記一端部に螺合されている。
【００２２】
本構成によれば、着脱部材が一端部から意図せず外れてしまう可能性を低くすることができる。
【００２３】
(7) 上記カバーは、上記容器本体に装着された状態において、上記第１貫通孔及び上記第３貫通孔に挿入される凸部を備える。
【００２４】
本構成によれば、カバーを容器本体に装着するに際して、凸部を第１貫通孔に挿入させることにより、カバーが容器本体に対してずれることなくカバーを容器本体に円滑に装着することができる。また、収容室に収容された化粧品が第３貫通孔を介して漏れ出ることを低減することができる。
【００２５】
(8) 上記凸部は、テーパ形状である。
【００２６】
本構成によれば、凸部の第３貫通孔への挿入が容易である。
【００２７】
(9) 上記ヘッドは、複数の繊維で構成されたブラシ形状である。
【００２８】
本構成によれば、化粧品がヘッドに付着しやすい。
【発明の効果】
【００２９】
この発明に係る化粧品用簡単付け替えヘッドチューブ容器によれば、ヘッドを把持することなくヘッドを容器本体から外して洗浄することが可能である。
【図面の簡単な説明】
【００３０】
【図１】図１は、化粧品用チューブ容器１の外観斜視図である。
【図２】図２は、化粧品用チューブ容器１の外観斜視図である。
【図３】図３は、化粧品用チューブ容器１の縦断面図である。
【図４】図４は、化粧品用チューブ容器１の縦断面図である。
【図５】図５は、ヘッド４がブラシ形状である化粧品用チューブ容器１の外観斜視図である。
【図６】図６は、ヘッド４がブラシ形状である化粧品用チューブ容器１の縦断面図である。
【発明を実施するための形態】
【００３１】
以下、本発明の好ましい実施形態が、適宜図面が参照されながら説明される。なお、本実施の形態は、本発明に係る化粧品用簡単付け替えヘッドチューブ容器の一態様にすぎず、本発明の要旨を変更しない範囲で実施態様が変更されてもよいことは言うまでもない。
【００３２】
［化粧品用チューブ容器の概要］
【００３３】
図１及び図２が示すように、化粧品用チューブ容器１（化粧品用簡単付け替えヘッドチューブ容器の一例）は、容器本体２、着脱部材３、ヘッド４、及びカバー６を備えている。
【００３４】
容器本体２には、液状またはゲル状の化粧品が収容可能である。容器本体２は、収容部５を備えている。着脱部材３は、収容部５の一端部７に対して着脱自在である。ヘッド４は、着脱部材３に接着されている。なお、図１〜図３では、ヘッド４が着脱部材３から外れた状態が示されている。カバー６は、一端部７に対して着脱自在である。カバー６は、一端部７に装着された状態において、着脱部材３及びヘッド４を覆っている。
【００３５】
図１〜図３には、着脱部材３が一端部７から脱抜され、ヘッド４が着脱部材３から取り外され、カバー６が一端部７から脱抜された化粧品用チューブ容器１が示されている。図４には、着脱部材３が一端部７に装着され、ヘッド４が着脱部材３に接着され、カバー６が一端部７に装着された化粧品用チューブ容器１が示されている。
【００３６】
［容器本体］
【００３７】
図１及び図３が示すように、容器本体２は、収容部５を備えている。収容部５は、軸方向１０１、１０２（長手方向の一例、図３参照）に延びた筒形状である。軸方向１０１、１０２は、互いに反対向きである。なお、収容部５は、図１が示す形状に限らず、例えば中空の四角柱形状であってもよい。
【００３８】
収容部５は、一端部７と、他端部５２と、胴部５３とで構成されている。一端部７は、収容部５の軸方向１０１の端部である。他端部５２は、収容部５の軸方向１０２の端部である。胴部５３は、一端部７及び他端部５２の間の部分である。胴部５３及び他端部５２は、可撓性を有する。一端部７は、収容部５よりも厚く構成されており、可撓性を有さない。
【００３９】
なお、本実施形態において、胴部５３と他端部５２とは、一体成形されている。一方、一端部７は、胴部５３及び他端部５２とは別部材である。しかし、収容部５は、前述のような構成に限らない。例えば、一端部７も、胴部５３及び他端部５２と一体成形されていてもよい。
【００４０】
図３が示すように、胴部５３及び他端部５２の内部空間５１は、内周面５Ａによって区画されている。他端部５２は、内部空間５１に化粧品が収容される前には開放されているが、内部空間５１に化粧品が充填された後に、その内周面５Ａ同士が熱溶着される。これにより、他端部５２は、封止される。なお、他端部５２は、熱溶着以外の手段、例えば接着や嵌合などによって封止されてもよいし、他部材によって蓋をされることによって封止されてもよい。
【００４１】
一端部７は、胴部５３の軸方向１０１の端部に嵌合されている。これにより、一端部７は、胴部５３の軸方向１０１の端部と連続して設けられている。
【００４２】
一端部７は、概ね中空の円柱形状である。一端部７は、胴部５３の軸方向１０１の端と連続した円筒形状の筒状部７１と、筒状部７１の軸方向１０１の端に設けられた平板部７２とを備えている。
【００４３】
一端部７の内部空間７３は、筒状部７１の内周面７１Ａと、平板部７２の内面７２Ａとによって区画されている。筒状部７１の軸方向１０２の端部は開放されている。これにより、内部空間７３は、内部空間５１と連通している。内部空間５１、７３は、収容室の一例である。
【００４４】
平板部７２の外面７２Ｂの径方向の中心部に、軸方向１０１に突出した突出部７４が形成されている。ここで、外面７２Ｂは、軸方向１０１、１０２に沿う法線により規定される面である。つまり、外面７２Ｂは、軸方向１０１、１０２と直交する面である。また、突出部７４には、突出部７４を軸方向１０１に貫通する貫通孔７５（第１貫通孔の一例）が形成されている。貫通孔７５の軸方向１０１の端は、開口されている。貫通孔７５の軸方向１０２の端は、内部空間７３と連通している。つまり、貫通孔７５は、内部空間７３と一端部７の外部とを連通している。また、貫通孔７５は、内部空間７３を介して内部空間５１と繋がっている。
【００４５】
筒状部７１の外周面７１Ｂに、第１ネジ７６（ネジの一例）と第２ネジ７７とが形成されている。第１ネジ７６及び第２ネジ７７は、軸方向１０１に並んでいる。第１ネジ７６は、第２ネジ７７よりも胴部５３に近い位置に形成されている。
【００４６】
筒状部７１において、第１ネジ７６が形成されている部分の直径は、第２ネジ７７が形成されている部分の直径よりも大きい。
【００４７】
［着脱部材］
【００４８】
図１及び図２が示すように、着脱部材３は、全体として概ね円柱の外形を呈する。
【００４９】
図３が示すように、着脱部材３は、円板形状の本体３０と、本体３０の第１面３０Ａ（支持面の一例）の外周縁から軸方向１０１へ延びた第１リブ３１と、本体３０の第２面３０Ｂ（被支持面の一例）の外周縁から軸方向１０２へ延びた第２リブ３２とを備えている。第１面３０Ａは、軸方向１０１を向く面である。第２面３０Ｂは、軸方向１０２を向く面である。
【００５０】
着脱部材３に、凹部３３及び凹部３４が形成されている。凹部３３は、本体３０の第１面３０Ａと、第１リブ３１の内周面３１Ａとによって区画されている。凹部３４は、本体３０の第２面３０Ａと、第２リブ３２の内周面３２Ａとによって区画されている。
【００５１】
本体３０に、貫通孔３５（第２貫通孔の一例）が形成されている。貫通孔３５は、第１面３０Ａの中央部から第２面３０Ｂの中央部に亘って、本体３０を軸方向１０２に貫通している。貫通孔３５の内径は、容器本体２の突出部７４の外径と略同一である。図４が示すように、着脱部材３が容器本体２に装着された状態において、突出部７４が、貫通孔３５を貫通して、第１面３０Ａから軸方向１０１へ突出している。
【００５２】
なお、貫通孔３５の内径は、突出部７４の外径よりも大きくてもよい。
【００５３】
図３が示すように、第１リブ３１の外周面３１Ｂは、軸方向１０１へ向かうにしたがって着脱部材３の軸へ向かうように傾斜している。第１リブ３１の内周面３１Ａは、軸方向１０１に沿って延びている。以上より、第１リブ３１は、軸方向１０１へ向かって先細りのテーパ形状である。
【００５４】
第２リブ３２の内周面３２Ａに、ネジ３６が形成されている。容器本体２の一端部７が、凹部３４に嵌め込まれる。このとき、ネジ３６と第２ネジ７７とが螺合する。これにより、着脱部材３が一端部７に装着される（図４参照）。
【００５５】
図４が示すように、着脱部材３が容器本体２の一端部７に装着された状態において、第２面３０Ｂは、一端部７の平板部７２の外面７２Ｂと当接している。つまり、第２面３０Ｂは、一端部７に支持されている。
【００５６】
また、着脱部材３が容器本体２の一端部７に装着された状態において、第２リブ３２の外周面３２Ｂは、容器本体２の一端部７の筒状部７１の外周面７１Ｂと、軸方向１０１に隣接している。また、外周面３２Ｂは、外周面７１Ｂと面一である。
【００５７】
図１が示すように、第１面３０Ａに、複数のリブ３７が形成されている。複数のリブ３７は、第１面３０Ａから軸方向１０１に突出している。複数のリブ３７は、一定間隔を空けて形成されている。複数のリブ３７は、第１面３０Ａに沿って真っ直ぐ延びている。各リブ３７は、同方向に延びている。
【００５８】
図２が示すように、第２面３０Ｂに、複数の溝３８が形成されている。複数の溝３８は、第２面３０Ｂから軸方向１０１に凹んでいる。複数の溝３８は、一定間隔を空けて形成されている。複数の溝３８は、第２面３０Ｂに沿って真っ直ぐ延びている。各溝３８は、同方向に延びている。
【００５９】
なお、図３及び図４において、リブ３７及び溝３８の図示は省略されている。
【００６０】
以上のように、図１及び図２が示すように、第１面３０Ａと第２面３０Ｂとに凹凸が形成されている。なお、第１面３０Ａに形成された凹凸はリブ３７に限らず、第２面３０Ｂに形成された凹凸は溝３８に限らない。例えば、第１面３０Ａに溝３８が形成され、第２面３０Ｂにリブ３７が形成されていてもよい。また、例えば、リブ３７や溝３８の代わりに、微細な凸部や凹部が、第１面３０Ａ及び第２面３０Ｂに整列されて又はランダムに形成されていてもよい。
【００６１】
［ヘッド］
【００６２】
図１〜図４が示すヘッド４は、多孔質構造を有する樹脂である。また、ヘッド４は、柔らかい。例えば、ヘッド４は、ＮＢＲ（Ｎｉｔｒｉｌｅ  ｂｕｔａｄｉｅｎｅ  ｒｕｂｂｅｒ）系のスポンジや、ＳＢＲ（Ｓｔｙｒｅｎｅ−ｂｕｔａｄｉｅｎｅ  ｒｕｂｂｅｒ）系のスポンジである。
【００６３】
図１及び図３が示すように、ヘッド４は、概ね円柱形状である。ヘッド４は、軸周りに形成された周面４１と、上面４２及び下面４３とを有する。ヘッド４の軸は、軸方向１０１、１０２に沿っている。
【００６４】
ヘッド４の周面４１は、第１周面４１Ａ及び第２周面４１Ｂで構成されている。第１周面４１Ａは、軸方向１０１に沿って延びている。第２周面４１Ｂは、第１周面４１Ａの軸方向１０１の端と連続している。第２周面４１Ｂは、軸方向１０１へ向かうにしたがってヘッド４の軸へ向かうように湾曲している。つまり、ヘッド４は、軸方向１０１へ向かうにしたがって直径が短くなる先細り形状である。
【００６５】
上面４２は、第２周面４１Ｂの軸方向１０１の端と連続している。下面４３は、第１周面４１Ａの軸方向１０２の端と連続している。なお、ヘッド４の外面（周面４１、上面４２、下面４３）には、多孔質構造であることに伴って多数の孔が形成されているが、凹凸はない。
【００６６】
ヘッド４は、着脱部材３の凹部３３に嵌め込まれることによって、着脱部材３に装着される。ここで、ヘッド４の下面４３は、着脱部材３の本体３０の第１面３０Ａと略同じ形且つ略同じ大きさである。また、ヘッド４は、凹部３３よりも軸方向１０１に長い。よって、ヘッド４が凹部３３に嵌め込まれた状態において、ヘッド４の上部（上面４２、第２周面４１Ｂ、及び第１周面４１Ａの一部）は、着脱部材３から軸方向１０１へ突出する。また、当該状態において、下面４３または着脱部材３の本体３０の第１面３０Ａの少なくとも一方に、接着剤が付けられる。これにより、ヘッド４は着脱部材３に接着される。このとき、第１面３０Ａは、ヘッド４を支持している。なお、接着剤は、下面４３及び第１面３０Ａの代わりに、または下面４３及び第１面３０Ａに加えて、第１周面４１Ａまたは着脱部材３の第１リブ３１の内周面３１Ａの少なくとも一方に付けられてもよい。
【００６７】
ヘッド４に、貫通孔４４（第３貫通孔の一例）が形成されている。貫通孔４４は、上面４２の中央部から下面４３の中央部に亘って軸方向１０２に延びてヘッド４を貫通している。貫通孔４４の内径は、容器本体２の一端部７の突出部７４の外径と略同一である。図４が示すように、ヘッド４が着脱部材３に接着された状態において、貫通孔４４は、着脱部材３の貫通孔３５（図３参照）と連続している。これにより、ヘッド４が接着された着脱部材３が容器本体２に装着された状態において、貫通孔３５を貫通して第１面３０Ａから突出した容器本体２の突出部７４は、貫通孔４４に挿入される。これにより、貫通孔４４は、突出部７４に形成された貫通孔７５を通じて、内部空間７３と連通される。
【００６８】
なお、貫通孔４４の内径は、突出部７４の外径よりも大きくてもよい。また、本実施形態のように、ヘッド４が柔らかい素材で構成されている場合、貫通孔４４の内径は、突出部７４の外径よりも若干小さくてもよい。
【００６９】
［カバー］
【００７０】
図２及び図３が示すように、カバー６は、円板部６１と、筒状部６２と、凸部６３とを備えている。
【００７１】
筒状部６２は、円板部６１の軸方向１０２を向いた面６１Ａの周縁部から軸方向１０２に延びている。筒状部６２の内周面６２Ａの軸方向１０２の端部に、ネジ６４が形成されている。ネジ６４と容器本体２の一端部７の第１ネジ７６とが螺合することによって、カバー６が一端部７に装着される（図４参照）。
【００７２】
図３が示すように、凸部６３は、面６１Ａの中心部から軸方向１０２に延びており、概ね円柱形状である。凸部６３の軸方向１０２の長さは、筒状部６２の軸方向１０２の長さよりも短い。凸部６３は、軸方向１０２へ向かう程に直径が小さくなる先細りのテーパ形状である。凸部６３の直径は、ヘッド４の貫通孔４４の内径よりも短い。これにより、図４が示すように、カバー６が一端部７に装着された状態において、凸部６３は、貫通孔４４に挿入されている。また、凸部６３の先端部の直径は、容器本体２の貫通孔７５の直径と略同一である。これにより、カバー６が一端部７に装着された状態において、凸部６３の先端部は、貫通孔７５に挿入されている。なお、凸部６３の先端部以外の直径は、貫通孔７５の直径より長く、貫通孔４４の直径より短い。
【００７３】
凸部６３は、内部空間６３Ａを有している。凸部６３の先端に、開口６３Ｂが形成されている。開口６３Ｂを通じて、内部空間６３Ａと凸部６３の外部とが連通している。
【００７４】
［着脱部材及びカバーの装着及び脱抜］
【００７５】
図４が示すように、化粧品用チューブ容器１の非使用時において、ヘッド４が接着された着脱部材３は、ネジ３６と第２ネジ７７とが螺合することによって、一端部７に装着されている。
【００７６】
また、カバー６は、ネジ６４と第１ネジ７６とが螺合することによって、一端部７に装着されている。これにより、着脱部材３及びヘッド４は、カバー６によって覆われた状態となる。このとき、カバー６の凸部６３は、ヘッド４の貫通孔４４に挿入されており、凸部６３の先端部は、一端部７の突出部７４の貫通孔７５に挿入されている。
【００７７】
図３が示すように、化粧品用チューブ容器１の使用に際して、カバー６は、ネジ６４と第１ネジ７６との螺合が解除されることによって、一端部７から脱抜される。その後、収容部５の外周面５Ｂが使用者に押圧されることによって、内部空間５１に収容された化粧品が、内部空間５１から内部空間７３、貫通孔７５、及び貫通孔４４を介して、ヘッド４に浸透される。そして、化粧品は、ヘッド４から染み出される。
【００７８】
ヘッド４の洗浄に際して、着脱部材３が、ネジ３６と第２ネジ７７との螺合が解除される。これにより、着脱部材３（及び着脱部材３に接着されたヘッド４）が、一端部７から脱抜される。一端部７から脱抜された着脱部材３及びヘッド４の一体物は、単独で洗浄可能である。
【００７９】
なお、接着されたヘッド４を着脱部材３から剥がすことによって、ヘッド４を単独で洗浄可能である。また、ヘッド４が?がされた状態の着脱部材３に、新たなヘッド４を接着することによって、ヘッド４の交換が可能である。
【００８０】
［実施形態の効果］
【００８１】
この実施形態によれば、ヘッド４が装着された着脱部材３を、着脱部材３を把持しつつ容器本体２から取り外すことができる。これにより、ユーザの手を汚すことなく、ヘッド４を容器本体２から取り外すことができる。そして、着脱部材３を把持しつつ、ヘッド４及び着脱部材３を一体に洗浄することができる。つまり、ユーザは、ヘッド４に一切触れることなく、ヘッド４を洗浄することができる。そのため、ユーザがヘッド４に触れる場合に比べて、ヘッド４を清潔な状態に保つことができる。
【００８２】
また、経年劣化などによってヘッド４を交換する場合、この実施形態によれば、ヘッド４を着脱部材３から取り外すことができるため、着脱部材３を交換することなくヘッド４のみを交換することができる。
【００８３】
また、この実施形態によれば、ヘッド４は、凹部３３に嵌合させるだけで着脱部材３に嵌合可能である。そのため、ヘッド４の形状は円筒形状などの単純な形状でよく、ヘッド４に凸部や凹部などのような特殊な形状を付加する必要がない。
【００８４】
また、この実施形態によれば、ヘッド４が着脱部材３から意図せず外れてしまう可能性を低くすることができる。
【００８５】
また、この実施形態によれば、着脱部材３の本体３０の第２面３０Ｂと一端部７との間に凹凸による摩擦力が発生するため、着脱部材３を一端部７から外れにくくすることができる。
【００８６】
また、この実施形態によれば、着脱部材３の本体３０の第１面３０Ａとヘッド４との間に凹凸による摩擦力が発生するため、ヘッド４を着脱部材３から外れにくくすることができる。
【００８７】
また、この実施形態によれば、着脱部材３が一端部７に螺合されているため、着脱部材３が一端部７から意図せず外れてしまう可能性を低くすることができる。
【００８８】
また、この実施形態によれば、カバー６を容器本体２に装着することにより、化粧品が付着したヘッド４の外部との接触を防止することができる。
【００８９】
また、この実施形態によれば、カバー６を容器本体２に装着するに際して、図４が示すように、凸部６３を貫通孔７５に挿入させることにより、カバー６が容器本体２に対してずれることなくカバー６を容器本体２に円滑に装着することができる。また、内部空間５１、７３に収容された化粧品が貫通孔４４を介して漏れ出ることを低減することができる。
【００９０】
また、この実施形態によれば、図３が示すように、凸部６３がテーパ形状である。そのため、図４が示すように、凸部６３の貫通孔４４への挿入が容易である。
【００９１】
また、この実施形態によれば、図４が示すように、容器本体２の外周面７１Ｂと着脱部材３の外周面３２Ｂとが面一である。そのため、ヘッド４が着脱部材３に対して着脱可能であり且つ着脱部材３が容器本体２に対して着脱可能でありながら、化粧品用チューブ容器１の外観を見栄えよくすることができる。
【００９２】
［変形例］
【００９３】
上記の実施形態では、ヘッド４は、接着によって着脱部材３に装着されていた。しかし、ヘッド４は、接着以外の手段によって着脱部材３に装着されてもよい。
【００９４】
例えば、ヘッド４は、凹部３３（図３参照）に嵌め込まれることによって、着脱部材３に装着されてもよい。この場合、ヘッド４が着脱部材３から意図せずに外れてしまうことが懸念される。そこで、この場合、ヘッド４の直径が凹部３３の内径よりも若干大きく構成されればよい。これにより、ヘッド４が着脱部材３から取れにくくすることができる。
【００９５】
また、例えば、ヘッド４が第１周面４１Ａ（図３参照）に凸部を備え、凹部３３が内周面３１Ａ（図３参照）に当該凸部に対応する凹部を備えていてもよい。この場合、当該凸部と当該凹部とが嵌合することによって、ヘッド４が着脱部材３に装着される。
【００９６】
上記の実施形態では、第１面３０Ａと第２面３０Ｂとに凹凸が形成されていたが、凹凸が形成されていなくてもよい。また、第１面３０Ａ及び第２面３０Ｂ以外の面であって、他の部材と接触する面、例えばヘッド４と接触する内周面３１Ａ（図３参照）に凹凸が形成されていてもよい。
【００９７】
上記の実施形態では、着脱部材３及びカバー６は、それぞれ螺合によって容器本体２に装着されていた（図４参照）。しかし、着脱部材３及びカバー６は、それぞれ螺合以外の手段、例えば嵌め込みによって容器本体２に装着されていてもよい。
【００９８】
上記の実施形態において、ヘッド４の外面（周面４１、上面４２、下面４３）には、多数の孔が形成されている一方で凹凸はなかった。しかし、ヘッド４の外面に、凹凸が形成されていてもよい。つまり、ヘッド４の外面に多数の孔及び凹凸が形成されていてもよい。或いは、ヘッド４の外面に多数の孔が形成されていない一方で凹凸が形成されていてもよい。
【００９９】
ヘッド４の外面に凹凸が形成されていることによって、ヘッド４をユーザなどの肌に沿って移動させる際に、凹凸によって角質を削り取ることができる。
【０１００】
また、ヘッド４の外面が平滑面であってもよい。つまり、ヘッド４の外面に、多数の孔及び凹凸の何れも形成されていなくてもよい。
【０１０１】
ヘッド４の外面が平滑面である場合、吐出された化粧品が平滑面に沿って移動し易い。これにより、化粧品がヘッド４の外面の全域に行き渡り易い。その結果、化粧品をヘッド４の外面の広範囲に亘って付着させることができる。
【０１０２】
上記の実施形態において、ヘッド４は、多孔質構造を有し且つ柔らかいものであった。しかし、ヘッド４は、多孔質構造を有していなくてもよいし、固いものであってもよい。
【０１０３】
例えば、多孔質構造を有さず且つ固いヘッド４として、ＰＰ（ポリプロピレン）やＰＥＴ（ポリエチレンテレフタラート）などの樹脂で構成されたものが挙げられる。また、ヘッド４がこれらの樹脂で構成されている場合、ヘッド４の外面を平滑面とすることができる。もちろん、ヘッド４がこれらの樹脂で構成されている場合に、ヘッド４の外面に凹凸が形成されていてもよい。
【０１０４】
また、例えば、多孔質構造を有し且つ固いヘッド４として、軽石が挙げられる。ヘッド４が軽石で構成されている場合、ヘッド４の外面には凹凸が形成されている。
【０１０５】
軽石は、表面に凹凸が形成されており且つ固い。そのため、ヘッド４をユーザなどの肌に沿って移動させる際に、角質を容易に削り取ることができる。
【０１０６】
ヘッド４は、上述したようなスポンジ、樹脂、軽石などに限らず、例えば、図５及び図６に示されるように、複数の繊維（毛）で構成されたブラシ形状であってもよい。複数の繊維は、着脱部材３の本体３０の第１面３０Ａに接着されている。図５において、ヘッド４を構成する繊維のうち隣り合う繊維は互いに接しているが、隣り合う繊維は互いに離れていてもよい。また、各繊維の長さは、概ね同一であるが、異なる長さであってもよい。
【０１０７】
図５及び図６に示される構成において、ヘッド４は、上記の実施形態と同様に、全体として概ね円柱形状であり、軸周りに形成された周面４１と、上面４２及び下面４３とを有する。周面４１は、複数の繊維のうち、円柱の径方向の最外縁に位置する繊維によって構成されている。上面４２は、複数の繊維の先端によって構成されている。下面は、複数の繊維の基端によって構成されている。各繊維の基端が、第１面３０Ａに接着されている。
【０１０８】
図６に示されるように、周面４１は、軸方向１０１へ向かうにしたがって径方向の外方へ向かうように、軸方向１０１に対して傾斜している。なお、周面４１は、前述したような傾斜した面に限らず、例えば軸方向１０１に沿って延びた面であってもよい。
【０１０９】
上面４２は、軸方向１０１へ凸となる湾曲面である。つまり、上面４２における径方向の中心部は、上面４２における径方向の周縁部よりも軸方向１０１に位置する。なお、上面４２の形状は前述したような湾曲面に限らず、例えば軸方向１０１と直交する平面であってもよい。
【符号の説明】
【０１１０】
１・・・化粧品用チューブ容器
２・・・容器本体
３・・・着脱部材
４・・・ヘッド
５・・・収容部
６・・・カバー
７・・・一端部
３０・・・本体
３１・・・第１リブ
３２・・・第２リブ
３３・・・凹部
３４・・・凹部
３５・・・貫通孔
３６・・・ネジ
３７・・・リブ
３８・・・溝
４１・・・周面
４２・・・上面
４３・・・下面
４４・・・貫通孔
５１・・・内部空間
５２・・・他端部
５３・・・胴部
６１・・・円板部
６２・・・筒状部
６３・・・凸部
６４・・・ネジ
７１・・・筒状部
７２・・・平板部
７３・・・内部空間
７４・・・突出部
７５・・・貫通孔
７６・・・第１ネジ
７７・・・第２ネジ
１０１・・・軸方向
１０２・・・軸方向